(57)【要約】      （修正有）【課題】間伐材の有効利用を促進し、養生後は取り外すことなく山に戻し土と化す。【解決手段】間伐材を長さ１８００ｍｍ幅９０ｍｍ厚さ２０ｍｍの板に製材加工し、パネルの表面惻になる分１０枚を両線Ｒ加工して、これらを横木として併合し、２本縦木としての長さ９００ｍｍ径１００ｍｍの半割丸太２本に両線Ｒ加工した前板の背面から釘止めする、次に前板と同寸法の板材１０枚を併合し、後板パネルとして前板パネルに上下左右３０ｍｍずつ対角方向にずらし背面から釘止めし１枚の独立した残存型枠はめ込み式木製化粧パネルとなる。この時半割丸太状の前板パネルと後板パネルが互い違いになっているので板の隙間からコンクリートが漏らないのである。上記のパネルを複数互い違いにはめ込み連結していくとパネル自体の強度も増しパネル同志の上下左右のはめ込み連結部からもコンクリートが漏らない。【選択図】図７
0003123623.tif 000002
【実用新案登録請求の範囲】
【請求項１】
パネルの横木は表面側に両線Ｒ加工した前板を使用し後板はＲ加工しない板を使用し互い違いに張り合わせ２枚張りとなり縦木は半割丸太でしっかり止めることにより板の隙間からコンクリ−トが漏らない堰堤の残存型枠はめ込み式木製化粧パネルである。
【請求項２】
請求項１に記載の表面側は横木板材１枚ごとに両線Ｒ加工を施している為横木そのものが半割丸太加工状に見え尚且つ縦木を半割丸太で組立てることにより間伐材を利用した一体感のある総体的な半割丸太状の残存型枠はめこみ式木製化粧パネルとなり山の自然環境に調和する。
【請求項３】
請求項１に記載の表面側の前板（両線Ｒ加工）のパネルと後板のパネルを上下左右に３０ｍｍずつ対角方向にずらし凸部と凹溝になった部分を複数のパネルを使って縦木の半割丸太を一直線に揃え縦方向に隣接する型枠同士のパネルをはめ込み連結し横方向に隣接する型枠同士のパネルも互い違いにはめ込み連結することによってパネル全体が強度を増しその連結部からはコンクリートが漏らないのである
【請求項４】
請求項１〜３の記載の前板（両線Ｒ加工）と後板、そして半割丸太の縦木のいずれの釘止めも背面から行うので表面側の前板パネルには一切釘の頭が出てこない堰堤の残存型枠はめ込み式木製化粧パネルである。
【請求項５】
パネルの標準型サイズは長さ１８００ｍｍ幅９００ｍｍ厚さ４０ｍｍで前板（両線Ｒ加工）も後板も１０枚ずつのべた張りで、縦木は長さ９００ｍｍ径１００ｍｍの半割丸太２本で前板と後板を押さえ一枚のパネルを作成する、これら全ての材料は間伐材で加工するところに意義があり間伐材の利用促進を図り堰堤のダムの残存型枠はめ込み式木製化粧パネルとし山の自然環境に調和させるものである。
【考案の詳細な説明】
【技術分野】
【０００１】本考案は、堰堤のダム上事に際し、コンクリートを打設する時に型枠として使用し、工事終了後は取り外すことなく堰堤の残存型枠はめ込み式木製化粧パネルとして現場に残し山の自然環境に調和させるものである。
【背景技術】
【０００２】従来の堰堤のダム工事の型枠は鋼製の型枠も合板の型枠もコンクリートを打設し、養生後は型枠を取り外している為、作業に時間と労力がかかるのと堤体の前面壁はコンクリート面がむき出したままの状態であり、山の自然環境とはアンバランスであった。その後木製の残存型枠が使用されてきたが、パネルそのものの作成においても、半割丸太の横木を隙間なくならべて作成することはかなり困難だった、又現場で型枠を設置する際も、パネル同志を隙間なく設置するのは困難であった。
【考案の開示】
【考案が解決しようとする課題】
【０００３】考案が解決しようとしている課題は、従来の鋼製型枠、合板型枠の問題点を解消するため、取り外しの必要のない半割丸太で作成された残存型枠を使用されるようにはなったが、従来使用されてきた木製残存型枠は、横木も縦木も半割丸太のみを使用した為、そったり、パネルとパネルを連結した時どうしてもそこに隙間ができ、そこからコンクリートが漏れた。尚且つ横木として半割丸太と半割丸太をならべた隙間からもコンクリートが漏れた。又コンクリートの養生後は堤体の前面壁すなわちコンクリートの表面の仕上がりがでこぼこになっている可能性がある。尚且つ間伐材の有効利用の促進を図ることを提供しようとするものである。
【課題を解決するための手段】
【０００４】上記の課題を解決するための本考案の手段は、請求項３の考案では、堰堤のダムコンクリート打設用の残存型枠はめ込み式木製化粧パネルにおいて、型枠は長方形の形をした表面側の前板パネル（両線Ｒ加工）と長方形の後板パネルとを張り合わせ上下左右に３０ｍｍずつ対角方向にずらし凸部と凹溝になった部分を複数のパネル同志を使って縦方向に隣接する型枠同士のパネルの縦木を一直線に揃え、横方向に隣接する型枠同志のパネルも互い違いにはめ込み重なり合わせ上下左右のパネル同志の両端を釘で固定するので端が反るのを防ぎ連結部所はしっかり噛み合いひとつに複合したパネルは強度を増し尚且つそのつなぎ目からはコンクリートが漏らない堰堤の残存型枠はめ込み式木製化粧パネルを提供するものである。【０００５】上記構成を有する本考案は、複数のパネルを互い違いに上下左右の両端を同時にはめ込み重なり合わせることにより，一層パネル同志の連結を強固に出来、一体感のある山の自然環境に調和した雄大な景観をさそう堰堤の残存型枠はめ込み式木製化粧パネルを提供しようとするものである。【０００６】請求項５の記載の通り、あくまでも堰堤の残存型枠はめ込み式木製化粧パネルの作成は間伐材を有効利用することを特徴とするものである。
【考案の効果】
【０００７】以上説明したように、本考案の堰堤の残存型枠はめ込み式木製化粧パネルは、コンクリート打設時コンクリートが隙間から漏れることなく、養生後も取り外す必要もなく、従来の残存型枠にくらべて複数のパネル同志を上下左右の両端を同時にはめ込むことにより連結を一層強固にし、パネルの作成方法も簡単で、施工方法も煩雑でなく、間伐材を有効利用しパネルの前板の表面側が縦木の半割丸太と横木の板の両線Ｒ加工がいかにも化粧を兼ねた半割丸太状に見え複数の堰堤の残存型枠はめ込み式木製化粧パネル全体が互いに係合して一体感のある山の自然環境に調和した雄大な景観をさそう堰堤の残存型枠はめ込み式木製化粧パネルとしての実用性に優れた効果を奏するものである。
【考案を実施するための最良の形態】
【０００８】以下、本考案を実施するための最良の形態を図面に基づき説明する。図１は本考案の堰堤の残存型枠はめ込み式木製化粧パネルの前板の表面側の正面図、図２は同上の後板裏面の背面図、図３は同上の断面図、図４は同上の平面図、図５は同上の展開図、図６は同上の連結状態を示す部分正面図、図７は同上のはめ込み連結位置を示す正面図、図１〜図５中の数字（ｍｍ単位）は同上の形態を説明するものである。
【実施例】
【０００９】図１は残存型枠を構成する化粧パネルであり、この化粧パネルは間伐材を長さ１８００ｍｍ幅９０ｍｍ厚さ２０ｍｍに製材加工し前板表面側１０枚を両線Ｒ加工しこれらを横木として併合し、２本の縦木としての半割丸太に横木の前板（両線Ｒ加工）の背面から図１の間隔で釘止めをする、このとき釘の頭が表面に出てこないので前板表面側全体が半割丸太状の化粧パネルとして有効である。次に前板と同寸法の板材１０枚を併合し後板として前板パネルに図１のように前板と後板の１枚１枚が互い違いになるように上下左右３０ｍｍずつ対角方向にずらし図２の背面から釘止めし１枚の独立した堰堤の残存型枠はめ込み式木製化粧パネルとなる。この時図１〜図３からわかるように板が互い違いになっているので板の隙間からコンクリートが漏れることはないのである。【００１０】図７から堰堤の残存型枠はめ込み式木製化粧パネル同志のはめ込み連結の仕方を符号Ａ、Ｂ、Ｃ、Ｄ、上、下、左、右を使って説明する。Ａパネルの右凸部とＢパネル左の凹溝、Ｃパネルの右凸部とＤパネルの左凹溝同志をはめ込み連結し、Ａパネルの下１凹溝とＣパネル上６の凸部、Ａパネル下２凹溝とＤパネル上７凸部、Ｂパネルの下３凹溝とＤパネル下８凸部をそれぞれはめ込み連結する、このように複数のパネルを縦木の半割丸太を一直線に揃え、縦方向に隣接する型枠同志のパネルを互い違いにはめ込み連結することによって図６の一体感のある全体像が出来、山の自然環境に調和した景観をさそい堰堤の残存型枠はめ込み式木製化粧パネルとして役目を果たすのである。
【産業上の利用可能性】
【００１１】本考案は、堰堤の残存型枠はめ込み式木製化粧パネルとして、ダムコンクリート打設のために使用し、養生後は取り外すことなく、使用材料は間伐材故に山の自然環境に調和させ景観を楽しみ、後には山の土となり再び木となって生えてくることを願うものである。
【図面の簡単な説明】
【図１】本考案を実施するための最良の形態を示す正面図である。
【図２】本考案を実施するための最良の形態を示す背面図である。
【図３】本考案を実施するための最良の形態を示す断面図である。
【図４】本考案を実施するための最良の形態を示す平面図である。
【図５】本考案のパネルの連結状態示す部分正面図である。
【図６】本考案のパネルの展開図である。
【図７】本考案のパネル同志の連結部を示す位置図である。
【符号の説明】
Ａ〜Ｄ  堰堤の残存型枠はめ込み式木製化粧パネル正面図
上  堰堤の残存型枠はめ込み式木製化粧パネルの連結はめ込み位置凸部
下  堰堤の残存型枠はめ込み式木製化粧パネルの連結はめ込み位置凹溝
右  堰堤の残存型枠はめ込み式木製化粧パネルの連結はめ込み位置凸部
左  堰堤の残存型枠はめ込み式木製化粧パネルの連結はめ込み位置凹溝
１〜８  堰堤の残存型枠はめ込み式木製化粧パネルの横木を押さえるための表面側の半割丸太縦木
【図１】
0003123623.tif 000003
【図２】
0003123623.tif 000004
【図３】
0003123623.tif 000005
【図４】
0003123623.tif 000006
【図５】
0003123623.tif 000007
【図６】
0003123623.tif 000008
【図７】
0003123623.tif 000009
【手続補正書】
【提出日】平成18年4月19日(2006.4.19)
【手続補正１】
【補正対象書類名】実用新案登録請求の範囲
【補正対象項目名】全文
【補正方法】変更
【補正の内容】
【実用新案登録請求の範囲】
【請求項１】
パネルの横木は表面側に両線Ｒ加工した前板を使用し、後板はＲ加工しない板を使用し、互い違いに張り合わせ２枚張りとなり、板の隙間は目張りとなる、又縦木は半割丸太でしっかり止めることにより板の隙間からはコンクリ−トが漏らないようにした堰堤の残存型枠はめ込み式木製化粧パネル。
【請求項２】
請求項１に記載の表面側は横木板材１枚ごとに両線Ｒ加工を施しているところに特徴があり、横木そのものが半割丸太加工状に見え、尚且つ縦木の半割丸太でしっかり止めることにより間伐材を利用した一体感のある総体的な半割丸太状の堰堤の残存型枠はめこみ式木製化粧パネル。
【請求項３】
表面側に両線Ｒ加工した前板のパネルと、後板のパネルを上下左右に３０ｍｍずつ対角方向にずらす工夫により、隣接する上下左右のパネル同士のはめ込みを可能にし、複数のパネルを次々と楽に連結することが出来るものであり、連結部は目張りされたはめ込み式であるコンクリートが絶対に漏らない堰堤の残存型枠はめ込み式木製化粧パネル。
【請求項４】
請求項１〜３の記載の表面側に両線Ｒ加工した前板と後板、そして半割丸太の縦木のいずれの釘止めも背面から行うので表面側の両線Ｒ加工した前板パネルには一切釘の頭が出てこない堰堤の残存型枠はめ込み式木製化粧パネル。
【請求項５】
請求項１〜３の記載の堰堤の残存型枠はめ込み式木製化粧パネルに於いて、パネル全体の標準型サイズは長さ１８００ｍｍ幅９００ｍｍ厚さ４０ｍｍであり、表面側に両線Ｒ加工した前板も後板も１０枚ずつ隙間なく並べたべた張りで、縦木は長さ９００ｍｍ径１００ｍｍの半割丸太２本で前板と後板を押さえ一枚のパネルを作成する、これら全ての材料は間伐材で加工し、間伐材の利用促進を図り尚且つ山の自然環境に調和させるところに意義がある堰堤の残存型枠はめ込み式木製化粧パネル。